(57)【要約】【課題】１個の基地局装置内に複数のＣＣが存在する場合などにおいても、処理の負荷を小さくすることができる処理装置などを提供する。【解決手段】コンポーネントキャリアまたはセルを通信単位として、複数の通信単位を含むグループの識別情報に基づいて、前記グループについて処理に関する制御を行うグループ処理制御部を備える、処理装置である。【選択図】図１
2015179963.tif 000002
【特許請求の範囲】
【請求項１】
コンポーネントキャリアまたはセルを通信単位として、複数の通信単位を含むグループの識別情報に基づいて、前記グループについて処理に関する制御を行うグループ処理制御部を備える、
処理装置。
【請求項２】
前記複数の通信単位のグループ化に関する制御を行うグループ化制御部を備える、
請求項１に記載の処理装置。
【請求項３】
前記グループは、同一の装置に設定される複数の通信単位を含むグループである、
請求項１または請求項２のいずれか１項に記載の処理装置。
【請求項４】
基地局装置である、
請求項１から請求項３のいずれか１項に記載の処理装置。
【請求項５】
前記グループ処理制御部は、前記グループについて他の基地局装置との間で回線を介して情報の交換を行うように制御する、
請求項４に記載の処理装置。
【請求項６】
前記他の基地局装置は、隣接する他の基地局装置である、
請求項５に記載の処理装置。
【請求項７】
前記回線は、Ｘ２回線である、
請求項５または請求項６のいずれか１項に記載の処理装置。
【請求項８】
前記グループ処理制御部は、前記情報の交換として、前記グループの代表値の情報の交換を行うように制御する、
請求項５から請求項７のいずれか１項に記載の処理装置。
【請求項９】
前記グループの代表値としては、前記グループに含まれる複数の通信単位の情報に基づく最大値、最小値、平均値、合計値、または、すべてを乗算した結果のうちの１つ以上が用いられる、
請求項８に記載の処理装置。
【請求項１０】
前記グループは、前記回線を介してやり取りされる情報の種類に応じて異なるグループとされる、
請求項５から請求項９のいずれか１項に記載の処理装置。
【請求項１１】
前記グループ処理制御部は、前記グループについてネイバーリレーションテーブル（ＮＲＴ）の情報を記憶するように制御する、
請求項４から請求項１０のいずれか１項に記載の処理装置。
【請求項１２】
前記コンポーネントキャリアと前記セルとは１対１で対応し、１個のコンポーネントキャリアとそれに対応する１個のセルが１個の通信単位に対応する、
請求項１から請求項１１のいずれか１項に記載の処理装置。
【請求項１３】
コンポーネントキャリアまたはセルを通信単位として、複数の通信単位を含むグループの識別情報に基づいて、前記グループについて処理に関する制御を行う、
通信システム。
【請求項１４】
コンポーネントキャリアまたはセルを通信単位として、複数の通信単位を含むグループの識別情報に基づいて、前記グループについて処理に関する制御を行う、
通信方法。
【発明の詳細な説明】
【技術分野】
【０００１】
本発明は、処理装置、通信システムおよび通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
ＬＴＥでは、１個のＣＣの帯域幅の最大値は２０ＭＨｚの幅である。このため、１００ＭＨｚのような広帯域の通信を実現するためには、複数のＣＣを束ねて利用する必要がある。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置ごとに異なる周波数帯域（ＣＣ）を使用して通信する。
キャリアアグリゲーションにおいて、セル群は、１個のＰＣｅｌｌ（Ｐｒｉｍａｒｙ  Ｃｅｌｌ）と、１個または複数個のＳＣｅｌｌ（Ｓｅｃｏｎｄａｒｙ  Ｃｅｌｌ）から構成される。また、一般的には、１個のＣＣを用いて１個のセル（Ｃｅｌｌ）が提供され、そして、Ｌ（Ｌは２以上の整数）個の異なるセルはＬ個の異なるＣＣを用いて提供され、それぞれのセルとそれぞれのＣＣとが１対１で対応する。
キャリアアグリゲーションでは、１個のＰＣｅｌｌに対して、１個から所定数個（例えば、４個）までのＳＣｅｌｌが設定される。ＵＥは、１個のＰＣｅｌｌに接続され、また、２個以上のＳＣｅｌｌに同時に接続されることがあり得る。
【０００４】
互いに隣接する基地局装置では、互いに相手の基地局装置の情報をネイバーリレーションテーブル（ＮＲＴ：Ｎｅｉｇｈｂｏｒ  Ｒｅｌａｔｉｏｎ  Ｔａｂｌｅ）に登録し（非特許文献１参照。）、Ｘ２回線を通じて、負荷情報などのやり取りを行う（非特許文献２参照。）。Ｘ２回線は、基地局装置（ｅＮＢ）の単位で設定される。
【先行技術文献】
【非特許文献】
【０００５】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】３ＧＰＰ  ＴＳ３６．４２３  ｖ１１．２．０、  “Ｘ２  ａｐｐｌｉｃａｔｉｏｎ  ｐｒｏｔｏｃｏｌ  （Ｘ２ＡＰ）”、  ２０１２−０９．
【発明の概要】
【発明が解決しようとする課題】
【０００６】
ＬＴＥのシステムでは、１個の基地局装置内に複数のＣＣが存在する場合、それぞれのＣＣごとに処理が行われる。また、バックホール回線を介した、負荷情報等に関する他の基地局装置との情報交換は、それぞれのＣＣごとに実施される。
しかしながら、それぞれのＣＣごとに行われる処理の負荷が大きくなることがあった。さらに、バックホール回線の通信容量が逼迫することがあった。
【０００７】
本発明は、このような事情を考慮してなされたもので、１個の基地局装置内に複数のＣＣが存在する場合などにおいても、処理の負荷を小さく、かつ、バックホール回線の通信量を少なくすることができる処理装置、通信システムおよび通信方法を提供することを課題とする。
【課題を解決するための手段】
【０００８】
（１）上記の課題を解決するために、本発明の一態様に係る処理装置は、コンポーネントキャリアまたはセルを通信単位として、複数の通信単位を含むグループの識別情報に基づいて、前記グループについて処理に関する制御を行うグループ処理制御部を備える。
【０００９】
（２）本発明の一態様は、上記した（１）に記載の処理装置において、前記複数の通信単位のグループ化に関する制御を行うグループ化制御部を備える、構成が用いられてもよい。
【００１０】
（３）本発明の一態様は、上記した（１）または上記した（２）のいずれか１つに記載の処理装置において、前記グループは、同一の装置に設定される複数の通信単位を含むグループである、構成が用いられてもよい。
【００１１】
（４）本発明の一態様は、上記した（１）から上記した（３）のいずれか１つに記載の処理装置において、基地局装置である、構成が用いられてもよい。
【００１２】
（５）本発明の一態様は、上記した（４）に記載の処理装置において、前記グループ処理制御部は、前記グループについて他の基地局装置との間で回線を介して情報の交換を行うように制御する、構成が用いられてもよい。
【００１３】
（６）本発明の一態様は、上記した（５）に記載の処理装置において、前記他の基地局装置は、隣接する他の基地局装置である、構成が用いられてもよい。
【００１４】
（７）本発明の一態様は、上記した（５）または上記した（６）のいずれか１つに記載の処理装置において、前記回線は、Ｘ２回線である、構成が用いられてもよい。
【００１５】
（８）本発明の一態様は、上記した（５）から上記した（７）のいずれか１つに記載の処理装置において、前記グループ処理制御部は、前記情報の交換として、前記グループの代表値の情報の交換を行うように制御する、構成が用いられてもよい。
【００１６】
（９）本発明の一態様は、上記した（８）に記載の処理装置において、前記グループの代表値としては、前記グループに含まれる複数の通信単位の情報に基づく最大値、最小値、平均値、合計値、または、すべてを乗算した結果のうちの１つ以上が用いられる、構成が用いられてもよい。
【００１７】
（１０）本発明の一態様は、上記した（５）から上記した（９）のいずれか１つに記載の処理装置において、前記グループは、前記回線を介してやり取りされる情報の種類に応じて異なるグループとされる、構成が用いられてもよい。
【００１８】
（１１）本発明の一態様は、上記した（４）から上記した（１０）のいずれか１つに記載の処理装置において、前記グループ処理制御部は、前記グループについてネイバーリレーションテーブル（ＮＲＴ）の情報を記憶するように制御する、構成が用いられてもよい。
【００１９】
（１２）本発明の一態様は、上記した（１）から上記した（１１）のいずれか１つに記載の処理装置において、前記コンポーネントキャリアと前記セルとは１対１で対応し、１個のコンポーネントキャリアとそれに対応する１個のセルが１個の通信単位に対応する、構成が用いられてもよい。
【００２０】
（１３）上記の課題を解決するために、本発明の一態様に係る通信システムは、コンポーネントキャリアまたはセルを通信単位として、複数の通信単位を含むグループの識別情報に基づいて、前記グループについて処理に関する制御を行う。
【００２１】
（１４）上記の課題を解決するために、本発明の一態様に係る通信方法は、コンポーネントキャリアまたはセルを通信単位として、複数の通信単位を含むグループの識別情報に基づいて、前記グループについて処理に関する制御を行う。
【発明の効果】
【００２２】
本発明によれば、１個の基地局装置内に複数のＣＣが存在する場合などにおいても、処理の負荷を小さく、かつ、バックホール回線の通信量を少なくすることができる。
【図面の簡単な説明】
【００２３】
【図１】本発明の一実施形態に係る通信システムの概略的な構成を示すブロック図である。
【図２】本発明の一実施形態に係るＰＣｅｌｌを提供する基地局装置の概略的な構成を示すブロック図である。
【図３】本発明の一実施形態に係るＳＣｅｌｌを提供する基地局装置の概略的な構成を示すブロック図である。
【図４】１個の基地局装置内に複数のＣＣが存在するＬＴＥの通信システムの概略的な構成を示すブロック図である。
【図５】ＬＴＥの通信システムにおいてそれぞれのＣＣごとに独立に処理が行われる様子の一例を示す図である。
【発明を実施するための形態】
【００２４】
以下、図面を参照し、本発明の実施形態について説明する。
本実施形態では、ＣＣとセルとが１対１で対応し、１個のＣＣとそれに対応する１個のセル（１組の対応）が１個の通信単位に対応する通信システムについて説明する。
［１個の基地局装置に複数のＣＣが存在する通信システムの説明］
図４は、１個の基地局装置内に複数のＣＣが存在するＬＴＥの通信システムの概略的な構成を示すブロック図である。
図４に示される通信システムは、ＵＥ５０１と、ＰＣｅｌｌを提供する基地局装置５１１およびその無線の通信領域６０１と、ＳＣｅｌｌを提供する基地局装置５１２およびその無線の通信領域６０２と、基地局装置５１１と基地局装置５１２を接続する回線（Ｘ２回線）５２１を備える。また、この通信システムはインターネット（Ｉｎｔｅｒｎｅｔ）５０２と接続されており、ＵＥ５０１とインターネット５０２（それにつながる装置）との間で基地局装置５１１や基地局装置５１２を介して通信することが可能である。
また、図４には、基地局装置５１１に対して設定された１個以上のＣＣの群（ＣＣ群）２００１と、基地局装置５１２に対して設定された１個以上のＣＣの群（ＣＣ群）２００２を示してある。図４の例では、それぞれのＣＣは、２０ＭＨｚの帯域幅を有しており、互いに異なる周波数領域である。
【００２５】
図４の例では、ＰＣｅｌｌを提供する基地局装置５１１には、ＣＣ群２００１として、１個のＣＣが設定されている。この１個のＣＣは、ＰＣｅｌｌを構成する。
また、ＳＣｅｌｌを提供する基地局装置５１２には、ＣＣ群２００２として、５個のＣＣが設定されている。これら５個のＣＣのそれぞれは、ＳＣｅｌｌを構成する。
【００２６】
ここで、他の場合として、基地局装置５１１に設定されたＣＣ群２００１が２個以上のＣＣを含む場合には、これら２個以上のＣＣのうちの１個のＣＣを用いてＰＣｅｌｌが提供されるとともに、他のＣＣ（２個目以降のＣＣ）を用いてＳＣｅｌｌを提供することが可能である。つまり、この場合、ＰＣｅｌｌを提供する基地局装置５１１は、同時に、ＳＣｅｌｌを提供することも可能である。
【００２７】
図４の例では、ＵＥ５０１に対して、ＰＣｅｌｌを提供する基地局装置５１１における１個のＣＣを用いた１個のＰＣｅｌｌと、ＳＣｅｌｌを提供する基地局装置５１２における４個のＣＣ（本例では、５個のうちの１個は使用しない。）を用いた４個のＳＣｅｌｌが割り当てられている。このようなキャリアアグリゲーションにより、ＵＥ１には計１００ＭＨｚ（＝２０ＭＨｚ×５）の帯域が割り当てられており、ＵＥ５０１は５個のＣＣを束ねた通信（１個のＰＣｅｌｌと４個のＳＣｅｌｌを合わせた通信）が可能である。
【００２８】
図５は、ＬＴＥの通信システムにおいてそれぞれのＣＣごとに独立に処理が行われる様子の一例を示す図である。
図５には、図４に示されるものと同様な通信システムおよびＣＣ群２００１〜２００２を示してある。
また、図５には、ＰＣｅｌｌを提供する基地局装置５１１が記憶するＮＲＴ２０１１の一例を示してある。
ＬＴＥの通信システムでは、１個の基地局装置（図５の例では、ＳＣｅｌｌを提供する基地局装置５１２）内に複数のＣＣ（複数のセル）が存在する場合には、それぞれのＣＣ（それぞれのセル）について独立した動作が行われる。ＳＣｅｌｌを提供する基地局装置５１２における５個のＣＣのそれぞれの識別情報（ＩＤ）を＃１、＃２、＃３、＃４、＃５とする。なお、それぞれのＣＣは、それぞれのセルと対応している。
【００２９】
ここで、ＣＣとセルとが１対１で対応する場合、ＣＣの識別情報（ＩＤ）とセルの識別情報（ＩＤ）とが１対１で対応するため、ＣＣの識別情報またはセルの識別情報の一方または両方により、ＣＣやセルを識別することが可能である。ＣＣの識別情報とセルの識別情報とは、例えば、異なる情報が用いられてもよく、または、共通の情報が用いられてもよい。
【００３０】
図５の例に示されるような通信システムでは、ある基地局装置（図５の例では、ＰＣｅｌｌを提供する基地局装置５１１）と他の基地局装置（図５の例では、ＳＣｅｌｌを提供する基地局装置５１２）との間で、それぞれのＣＣ（それぞれのセル）ごとに独立に、Ｘ２回線５２１を介して、情報の交換が行われる。具体的には、ＰＣｅｌｌを提供する基地局装置５１１における１個のＣＣのセルと、ＳＣｅｌｌを提供する基地局装置５１２における５個のＣＣ（＃１〜＃５）のそれぞれごとのセルとの間で、Ｘ２回線５２１を介して、情報の交換が行われる。つまり、１個のＣＣ（セル）と１個のＣＣ（セル）との間の情報の交換が、５組のＣＣ（セル）同士について行われる。
ここで、通常、Ｘ２回線５２１は基地局装置を単位として設定される物理的な１本の回線（有線または無線の回線）であり、複数のＣＣ（図５の例では、ＳＣｅｌｌを提供する基地局装置５１２の５個のＣＣ）により共用されると、Ｘ２回線５２１を介してやり取りされる情報の量が多くなり、Ｘ２回線５２１の容量を超える（オーバーする）可能性がある。このような問題は、特に、将来的に、同時に使用されるＣＣの数が多くなると顕著になる。
このような問題に対して、本実施形態では、Ｘ２回線５２１を介してやり取りされる情報の量を少なくして、Ｘ２回線５２１の負荷を小さくすることを図る。
【００３１】
なお、図４および図５の例では、ＰＣｅｌｌを提供する基地局装置５１１に１個のＣＣが存在し、ＳＣｅｌｌを提供する基地局装置５１２に５個のＣＣ（セル）が存在する場合を示したが、一般化すると、ある基地局装置にＮ（Ｎは、１以上の整数）個のＣＣ（セル）が存在し、他の基地局装置にＭ（Ｍは１以上の整数）個のＣＣ（セル）が存在すると、これらの基地局装置の間でＸ２回線を介して、（Ｎ×Ｍ）組のＣＣ（セル）同士で情報の交換が行われる。
【００３２】
また、図５の例に示されるような通信システムでは、ある基地局装置（図５の例では、ＰＣｅｌｌを提供する基地局装置５１１）と他の基地局装置（図５の例では、ＳＣｅｌｌを提供する基地局装置５１２）との間で、それぞれのＣＣごとに独立に、ＮＲＴ（図５の例では、ＮＲＴ２０１１）に情報が記憶される。具体的には、ＰＣｅｌｌを提供する基地局装置５１１におけるＮＲＴ２０１１には、ＳＣｅｌｌの基地局装置５１２における５個のＣＣ（＃１〜＃５）のそれぞれのセルの情報が記憶される。
ここで、ある基地局装置内に存在する複数のＣＣ（セル）の全ての情報が独立に他の基地局装置のＮＲＴに登録（記憶）されると、ＮＲＴに登録することが可能なＣＣ（セル）の最大数を超える（オーバーフローする）可能性があり、この場合、ＮＲＴに登録することが必要なＣＣ（セル）の情報が登録されないことが生じ得る。このような問題は、特に、将来的に、同時に使用されるＣＣの数が多くなると顕著になる。
このような問題に対して、本実施形態では、ＮＲＴに登録される情報の量を少なくして、必要なセルがＮＲＴに登録できなくなる問題を解決することを図る。
【００３３】
［実施形態］
＜通信システムの概要＞
図１は、本発明の一実施形態に係る通信システムの概略的な構成を示すブロック図である。
本実施形態に係る通信システムは、ＵＥ１と、ＰＣｅｌｌを提供する基地局装置（ｅＮＢ）１１およびその無線の通信領域１０１と、ＳＣｅｌｌを提供する基地局装置（ｅＮＢ）１２およびその無線の通信領域１０２と、基地局装置１１と基地局装置１２を接続する回線（Ｘ２回線）２１を備える。また、この通信システムはインターネット２と接続されており、ＵＥ１とインターネット２（それにつながる装置）との間で基地局装置１１や基地局装置１２を介して通信することが可能である。
また、図１には、ＰＣｅｌｌを提供する基地局装置１１に対して設定された１個以上のＣＣの群（ＣＣ群）１００１と、ＳＣｅｌｌを提供する基地局装置１２に対して設定された１個以上のＣＣの群（ＣＣ群）１００２を示してある。図１の例では、それぞれのＣＣは、２０ＭＨｚの帯域幅を有しており、互いに異なる周波数領域である。
【００３４】
図１の例では、ＰＣｅｌｌを提供する基地局装置１１には、ＣＣ群１００１として、１個のＣＣが設定されている。この１個のＣＣは、ＰＣｅｌｌを構成する。なお、他の構成例として、基地局装置１１に設定されたＣＣ群１００１が複数のＣＣを含む場合には、基地局装置１１はＰＣｅｌｌを提供するとともにＳＣｅｌｌを提供することが可能である。
また、ＳＣｅｌｌを提供する基地局装置１２には、ＣＣ群１００２として、５個のＣＣが設定されている。これら５個のＣＣのそれぞれは、ＳＣｅｌｌを構成する。
【００３５】
本実施形態では、１個の基地局装置内に存在する複数のＣＣをまとめてＣＣのグループ（ＣＣグループ）として各種の処理を行う。
具体的には、ＰＣｅｌｌを提供する基地局装置１１については、１個のＣＣのみが存在しており、その１個のＣＣの識別情報を用いて各種の処理を行う。また、ＳＣｅｌｌを提供する基地局装置１２については、５個のＣＣが存在しており、これら５個のＣＣをグループ化してまとめて、ＣＣグループの識別情報（図１の例では、Ｇｒｏｕｐ＃１）を用いて各種の処理を行う。各種の処理としては、例えば、異なる基地局装置のＣＣ（セル）同士でＸ２回線２１を介して情報の交換を行う処理や、他の基地局装置のＣＣ（セル）の情報をＮＲＴにより記憶する処理などがある。
なお、ＳＣｅｌｌを提供する基地局装置１２における５個のＣＣのそれぞれの識別情報を＃１、＃２、＃３、＃４、＃５（図４および図５の例と同じ）としてある。それぞれのＣＣは、それぞれのセルと対応している。
【００３６】
図２は、本発明の一実施形態に係るＰＣｅｌｌを提供する基地局装置１１の概略的な構成を示すブロック図である。
本実施形態に係る基地局装置１１は、通信部２１１と、記憶部２１２と、制御部２１３を備える。
制御部２１３は、グループ化制御部２３１と、グループ処理制御部２３２を備える。
基地局装置１１は、ＰＣｅｌｌを提供する際に、次のような機能を有する。
【００３７】
通信部２１１は、外部の装置との間で無線や有線で通信する。本実施形態では、通信部２１１は、通信領域１０１に存在するＵＥ１との間で、無線により信号を送受信（送信や受信）する。また、通信部２１１は、有線（または、無線）により、他の基地局装置など（本実施形態では、ＳＣｅｌｌを提供する基地局装置１２など）との間で、信号を送受信する。例えば、異なる基地局装置１１、１２の間は、有線の回線（Ｘ２回線２１）で接続される。
記憶部２１２は、メモリを用いて構成されており、各種のデータを記憶する。具体例として、記憶部２１２は、制御部２１３により使用されるプログラムのデータや、各種のパラメータのデータや、ＣＣやセルに関するデータや、ＮＲＴ１０１１に関するデータなどを記憶する。
【００３８】
制御部２１３は、所定のプログラムを実行することで、各種の処理や制御を行う。
グループ化制御部２３１は、複数のＣＣのグループ化に関する制御を行う。本実施形態では、グループ化制御部２３１は、自装置（ＰＣｅｌｌを提供する基地局装置１１）または他の装置（例えば、ＳＣｅｌｌを提供する基地局装置１２など）に存在する複数のＣＣについて、あらかじめ定められた手順により、または、オペレータ（人）からの指示にしたがって、グループ化を行うように制御する。ＣＣのグループ化の処理としては、例えば、グループ化の対象となる複数のＣＣに対して１個のＣＣグループの識別情報を付与する処理が用いられる。
グループ処理制御部２３２は、ＣＣグループの識別情報に基づいて、ＣＣのグループ（ＣＣグループ）ごとに各種の処理に関する制御を行う。本実施形態では、グループ処理制御部２３２は、例えば、ＣＣグループごとにＸ２回線２１を介して情報の交換（送信や受信であり、一方向の通信でもよい。）を行うように制御し、また、ＣＣグループごとにＮＲＴ１０１１の情報を登録、変更、削除等するように制御する。また、グループ処理制御部２３２は、グループ化されていないＣＣについては、それぞれのＣＣごとの識別情報に基づいて、それぞれのＣＣごとに各種の処理に関する制御を行う。
【００３９】
ここで、グループ化制御部２３１は、自装置に存在するＣＣについてグループ化が行われた場合には、例えば、当該グループ化について、グループ化に関する情報を自装置の記憶部２１２に記憶する。
また、グループ化制御部２３１は、他の装置に存在するＣＣについてグループ化が行われた場合には、例えば、当該グループ化について、グループ化に関する情報を当該他の装置に通知してもよい。当該他の装置では、このグループ化に関する情報を受信して、当該他の装置の記憶部に記憶する。
グループ化に関する情報としては、様々な情報が用いられてもよく、例えば、グループの識別情報と、当該グループに含まれる複数のＣＣのそれぞれの識別情報とを対応付ける情報が用いられ、また、これら複数のＣＣのそれぞれが属する装置を識別する情報が含まれてもよい。
【００４０】
図３は、本発明の一実施形態に係るＳＣｅｌｌを提供する基地局装置１２の概略的な構成を示すブロック図である。
本実施形態に係る基地局装置１２は、通信部３１１と、記憶部３１２と、制御部３１３を備える。
制御部３１３は、グループ化制御部３３１と、グループ処理制御部３３２を備える。
基地局装置１２は、ＳＣｅｌｌを提供する際に、次のような機能を有する。
【００４１】
通信部３１１は、外部の装置との間で無線や有線で通信する。本実施形態では、通信部３１１は、通信領域１０２に存在するＵＥ１との間で、無線により信号を送受信（送信や受信）する。また、通信部３１１は、有線（または、無線）により、他の基地局装置など（本実施形態では、ＰＣｅｌｌを提供する基地局装置１１など）との間で、信号を送受信する。
記憶部３１２は、メモリを用いて構成されており、各種のデータを記憶する。具体例として、記憶部３１２は、制御部３１３により使用されるプログラムのデータや、各種のパラメータのデータや、ＣＣやセルに関するデータなどを記憶する。
【００４２】
制御部３１３は、所定のプログラムを実行することで、各種の処理や制御を行う。
グループ化制御部３３１は、複数のＣＣのグループ化に関する制御を行う。本実施形態では、グループ化制御部３３１は、自装置（ＳＣｅｌｌを提供する基地局装置１２）または他の装置（例えば、ＰＣｅｌｌを提供する基地局装置１１など）に存在する複数のＣＣについて、あらかじめ定められた手順により、または、オペレータからの指示にしたがって、グループ化を行うように制御する。ＣＣのグループ化の処理としては、例えば、グループ化の対象となる複数のＣＣに対して１個のＣＣグループの識別情報を付与する処理が用いられる。
グループ処理制御部３３２は、ＣＣグループの識別情報に基づいて、ＣＣのグループ（ＣＣグループ）ごとに各種の処理に関する制御を行う。本実施形態では、グループ処理制御部３３２は、例えば、ＣＣグループごとにＸ２回線２１を介して情報の交換（送信や受信であり、一方向の通信でもよい。）を行うように制御する。また、グループ処理制御部３３２は、グループ化されていないＣＣについては、それぞれのＣＣごとの識別情報に基づいて、それぞれのＣＣごとに各種の処理に関する制御を行う。
【００４３】
ここで、グループ化制御部３３１は、自装置に存在するＣＣについてグループ化が行われた場合には、例えば、当該グループ化について、グループ化に関する情報を自装置の記憶部３１２に記憶する。
また、グループ化制御部３３１は、他の装置に存在するＣＣについてグループ化が行われた場合には、例えば、当該グループ化について、グループ化に関する情報を当該他の装置に通知してもよい。当該他の装置では、このグループ化に関する情報を受信して、当該他の装置の記憶部に記憶する。
【００４４】
なお、本実施形態では、ＰＣｅｌｌを提供する基地局装置１１にグループ化制御部２３１の機能およびグループ処理制御部２３２の機能を備え、ＳＣｅｌｌを提供する基地局装置１２にグループ化制御部３３１の機能およびグループ処理制御部３３２の機能を備えるが、他の構成例として、それぞれの装置には、必要な機能が備えられればよく、不要な機能は備えられなくてもよい。
【００４５】
また、本実施形態では、ＣＣとセルとが１対１で対応することから、複数のＣＣのグループ化と、これら複数のＣＣに対応する複数のセルのグループ化とは、実質的に同じＣＣやセルをグループ化することになる。このようなグループ化を、本実施形態ではＣＣの識別情報（ＩＤ）を用いて行うが、他の構成例として、ＣＣの識別情報（ＩＤ）とセルの識別情報（ＩＤ）とが異なる場合には、セルの識別情報（ＩＤ）を用いてグループ化を行ってもよい。
また、本実施形態では、個別のＣＣを個別のＣＣの識別情報（ＩＤ）を用いて識別するが、ＣＣとセルとが１対１で対応することから、個別のＣＣおよびそれに対応する個別のセルを、個別のＣＣの識別情報（ＩＤ）と個別のセルの識別情報（ＩＤ）の一方または両方を用いて識別することが可能である。
【００４６】
＜複数のＣＣのグループ化の説明＞
同一の基地局装置（本実施形態では、ＳＣｅｌｌを提供する基地局装置１２）内に存在する複数のＣＣをグループ化することは、一例として、あらかじめオペレータなどにより行われて、グループ化の結果が関連する装置の記憶部（本実施形態では、ＰＣｅｌｌを提供する基地局装置１１の記憶部２１２や、ＳＣｅｌｌを提供する基地局装置１２の記憶部３１２）に記憶される。
【００４７】
他の例として、ＰＣｅｌｌを提供する基地局装置１１のグループ化制御部２３１の制御やＳＣｅｌｌを提供する基地局装置１２のグループ化制御部３３１の制御により、あらかじめ定められた手順により、または、オペレータからの指示にしたがって、グループ化を行ってもよい。この手順や指示としては、様々なものが用いられてもよく、例えば、同一の基地局装置内に複数のＣＣが存在する場合に、これら複数のＣＣのすべてを１つのグループにまとめるという手順や指示が用いられてもよく、または、これら複数のＣＣについて所定の個数（２個以上の数）ずつ順次グループにまとめるという手順や指示が用いられてもよく、または、他の手順が用いられてもよい。
【００４８】
ここで、通信システムでは、同一の基地局装置内に存在する複数のＣＣのうちの一部の２個以上のＣＣをグループ化することが行われてもよい。通信システムでは、例えば、同一の基地局装置内に存在する複数のＣＣを２個以上のグループにグループ化することが行われてもよい。通信システムでは、例えば、同一の基地局装置内に存在する複数のＣＣについて、所定の処理（例えば、Ｘ２回線２１を介した情報の交換、あるいは、ＮＲＴ１０１１による情報の記憶など）が共通に行われるＣＣのまとまりごとに、グループ化することが行われてもよい。通信システムでは、一例として、Ｘ２回線２１を介してやり取りされる情報の種類ごとに、当該情報の種類に応じて異なるグループにグループ化することが行われてもよく、例えば、あらかじめ、情報の種類ごとに異なるグループが用意されてもよい。通信システムでは、例えば、同一の基地局装置内に存在する複数のＣＣについて、個別に扱われることが希望されるＣＣについてはグループ化せずに、それ以外のＣＣについてグループ化することが行われてもよい。
なお、複数のＣＣをグループ化することは、例えば、これら複数のＣＣのそれぞれにＵＥが割り当てられるか否かや、これら複数のＣＣのそれぞれに割り当てられるＵＥが同一であるか否かなどの状況に対して、無関係に行われてもよく、または、当該状況に応じて行われてもよい。
【００４９】
＜Ｘ２回線を介した情報の交換の説明＞
本実施形態に係る通信システムでは、グループ化された複数のＣＣについては、それぞれのグループごとに、Ｘ２回線２１を介した情報の交換を行い、また、グループ化されていないＣＣについては、それぞれのＣＣごとに、Ｘ２回線２１を介した情報の交換を行う。この場合に、通信システムでは、それぞれのグループを、グループの識別情報を用いて、識別する。また、通信システムでは、個別のＣＣを、個別のＣＣの識別情報を用いて、識別する。
【００５０】
本実施形態に係る通信システムでは、グループ化された複数のＣＣについて、それぞれのグループごとに、Ｘ２回線２１を介した情報の交換を行う場合に、グループに含まれる複数のＣＣのそれぞれに関する情報に基づく代表値の情報を交換する。つまり、通信システムでは、グループ化された複数のＣＣについては、グループに含まれる複数のＣＣのそれぞれに関する情報ではなく、これらの情報をまとめて情報量を少なくした代表値の情報を交換する。
【００５１】
ここで、グループの代表値の情報としては、例えば、グループに含まれる複数のＣＣのうちの１個の情報、または、２個以上の情報に基づく情報が用いられる。
具体例として、グループに含まれる複数のＣＣのそれぞれの情報が数値で表される場合、グループの代表値の情報として、最大値、最小値、平均値、合計値、すべてを乗算した結果などが用いられてもよい。それぞれ、代表値の算出方法としては、最大値を選択する算出方法、最小値を選択する算出方法、平均値を求める算出方法、合計値を求める算出方法、すべてを乗算した結果を求める算出方法が用いられる。
【００５２】
また、通信システムでは、例えば、Ｘ２回線２１を介して交換する情報の種類ごとに代表値（代表値の算出方法）を切り替えることが行われてもよい。
具体例として、負荷（負荷という種類）の情報については、複数のＣＣについての平均値、または、複数のＣＣのうちの最小値、のうちであらかじめ定められたものが代表値として用いられてもよい。この場合、通信システムでは、例えば、同一の基地局装置内に存在する複数のＣＣについての負荷の平均値、または、同一の基地局装置内に存在する複数のＣＣのうちの負荷の最小値に基づいて、データ通信に使用する基地局装置（データ通信に使用する通信経路）を選択することなどが可能である。
具体例として、遅延（遅延という種類）の情報については、複数のＣＣのうちの最小値が代表値として用いられてもよい。この場合、通信システムでは、例えば、同一の基地局装置内に存在する複数のＣＣのうちの遅延の最小値に基づいて、データ通信に使用する基地局装置（データ通信に使用する通信経路）を選択することなどが可能である。
【００５３】
なお、Ｘ２回線を介した情報の交換は、例えば、１個の基地局装置と他の１個の基地局装置との間で行われるが、他の構成例として、１個の第１の基地局装置（例えば、ＰＣｅｌｌを提供する基地局装置）と、２個以上の第２以降の基地局装置（例えば、ＳＣｅｌｌを提供する２個以上の基地局装置）が存在する場合に、第２以降の基地局装置のうちの１個の代表の基地局装置が自装置以外の第２以降の基地局装置からの情報をＸ２回線を介して受信し、受信した情報および自装置の情報（つまり、第２以降の基地局装置のすべての情報）をまとめてＸ２回線を介して第１の基地局装置に送信する構成が用いられてもよい。
【００５４】
＜ＮＲＴによる情報の管理の説明＞
本実施形態に係る通信システムでは、グループ化された複数のＣＣについては、それぞれのグループごとに、ＮＲＴによる情報の管理を行い、また、グループ化されていないＣＣについては、それぞれのＣＣごとに、ＮＲＴによる情報の管理を行う。この場合に、通信システムでは、それぞれのグループを、グループの識別情報を用いて、識別する。また、通信システムでは、個別のＣＣを、個別のＣＣの識別情報を用いて、識別する。
【００５５】
本実施形態に係る通信システムでは、グループ化された複数のＣＣについて、それぞれのグループごとに、ＮＲＴの情報を登録、変更、削除等する。つまり、通信システムでは、グループ化された複数のＣＣについては、グループに含まれる複数のＣＣのそれぞれに関する情報ではなく、これらの情報をまとめて情報量を少なくした情報をＮＲＴに登録等する。
【００５６】
＜グループ化の対象とする情報の具体例＞
Ｘ２回線２１を介して通信される情報（Ｘ２情報）のうちで、グループ化の対象とする情報の具体例を示す（非特許文献２参照。）。なお、この具体例は例示であり、この具体例に限定するものではない。
一例として、負荷の管理における負荷の情報（Ｌｏａｄ  Ｉｎｄｉｃａｔｉｏｎ）がグループ化の対象とされてもよい。この場合、例えば、負荷の情報に関する代表値が用いられることにより、Ｘ２回線２１を介した情報の交換における通信量（通信される情報量）を少なくすることが可能である。また、この場合、複数のＣＣがグループ化されることにより、ＮＲＴ１０１１に登録等される情報の量を少なくすることが可能である。なお、負荷の情報は、例えば、定期的にやり取りされる場合があり、この場合、特に、情報量を少なくすることが有効である。
一例として、モビリティロバストネスオプティマイゼーション（Ｍｏｂｉｌｉｔｙ  Ｒｏｂｕｓｔｎｅｓｓ  Ｏｐｔｉｍｉｓａｔｉｏｎ）の無線リンク失敗の情報（Ｒａｄｉｏ  Ｌｉｎｋ  Ｆａｉｌｕｒｅ  Ｉｎｄｉｃａｔｉｏｎ）やハンドオーバ報告の情報（Ｈａｎｄｏｖｅｒ  Ｒｅｐｏｒｔ）がグループ化の対象とされてもよい。この場合、複数のＣＣがグループ化されることにより、ＮＲＴ１０１１に登録等される情報の量を少なくすることが可能である。
【００５７】
＜グループ化の変形例＞
本実施形態に係る通信システムでは、同一の基地局装置内に存在する複数のＣＣをグループ化するが、他の構成例として、所定の条件を満たす２個以上の異なる基地局装置内に存在するＣＣ（合計で２個以上のＣＣ）をグループ化する構成が用いられてもよい。ここで、所定の条件を満たす２個以上の異なる基地局装置内に存在するＣＣとしては、例えば、あらかじめ定められたＣＣであるという所定の条件が用いられてもよく、または、オペレータからの指示にしたがって決められるＣＣであるという所定の条件が用いられてもよい。通信システムでは、例えば、異なる基地局装置に属するが隣接するＣＣ（ＣＣにより形成されるセルが隣接するＣＣ）や、異なる基地局装置に属するが近いＣＣ（ＣＣにより形成されるセルの間の距離が所定の閾値以内であるＣＣ）をグループ化する構成が用いられてもよい。通信システムでは、例えば、同一のマクロセルの配下に設定された複数のスモールセルのＣＣをグループ化する構成が用いられてもよい。
【００５８】
＜実施形態のまとめ＞
以上のように、本実施形態に係る通信システムでは、ある１個の基地局装置内（他の構成例として、２個以上の異なる基地局装置内でもよい。）に複数のＣＣ（セル）が存在し、他の基地局装置とＸ２回線を介して情報の交換を行う場合に、それぞれのＣＣ（セル）について個別に通信するのではなく、複数のＣＣ（セル）を代表するグループの識別情報を設けて、グループについて通信する。また、本実施形態に係る通信システムでは、複数のＣＣ（セル）を含むグループとしての代表値の情報の交換を行う。
このように、本実施形態に係る通信システムでは、例えば、同一の基地局装置内に複数のＣＣ（セル）が存在する場合などに、Ｘ２回線を用いた隣接する基地局装置との情報の交換において、複数のＣＣ（セル）をグルーピングし、これら複数のＣＣ（セル）のグループについての代表値を用いて情報の交換を行う。
したがって、本実施形態に係る通信システムでは、Ｘ２回線でやり取りする情報の量を削減することが可能となり、Ｘ２回線の負荷を削減することが可能となる。
【００５９】
また、本実施形態に係る通信システムでは、複数のＣＣ（セル）を代表するグループの識別情報を設けて、グループについてＮＲＴに登録等する。
このように、本実施形態に係る通信システムでは、同一の基地局装置内に複数のＣＣ（セル）が存在する場合などに、これらのＣＣ（セル）に関する情報を他の基地局装置がＮＲＴに登録等する際に、複数のＣＣ（セル）をまとめたグループの識別情報を用いて登録等する。
したがって、本実施形態に係る通信システムでは、ＮＲＴに登録等する情報の量を削減することが可能となり、ＮＲＴの負荷を削減することが可能となり、例えば、ＮＲＴの登録数の溢れ（オーバーフロー）を防止することができる。
【００６０】
このように、本実施形態に係る通信システムでは、１個の基地局装置内に複数のＣＣが存在する場合などにおいても、処理の負荷を小さく、かつ、バックホール回線の通信量を少なくすることができる。具体例として、本実施形態に係る通信システムでは、ハンドオーバの失敗に関する情報の収集の効率化を図ることが可能である。
【００６１】
ここで、本実施形態では、基地局装置１１、１２にグループ化制御部２３１、３３１の機能やグループ処理制御部２３２、３３２の機能を備える構成を示したが、他の構成例として、任意の装置（処理装置）に、複数のＣＣ（セル）を含むグループの識別情報に基づいてグループについて処理に関する制御を行うグループ処理制御部の機能や、複数のＣＣ（セル）のグループ化に関する制御を行うグループ化制御部の機能を備えてもよい。
【００６２】
なお、本実施形態では、ＣＣとセルとが１対１で対応することを考慮して説明したが、ＣＣやセルのグループ化を行うに際して、例えば、ＣＣとセルとの対応関係を考慮せずに、本実施形態と同様なグループ化を複数のＣＣについて行うこと、または、本実施形態と同様なグループ化を複数のセルについて行うことも可能である。また、ＣＣとセルとが１対１で対応しないシステムがあった場合においても、例えば、ＣＣとセルとの対応関係を考慮せずに、本実施形態と同様なグループ化を複数のＣＣについて行うこと、または、本実施形態と同様なグループ化を複数のセルについて行うことが実行されてもよい。
【００６３】
［以上の実施形態に係る構成例］
一構成例として、コンポーネントキャリア（ＣＣ）またはセルを通信単位として、複数の通信単位を含むグループの識別情報に基づいて、前記グループについて処理に関する制御を行うグループ処理制御部（図２や図３の例では、グループ処理制御部２３２、３３２）を備える、処理装置（図１の例では、基地局装置１１、１２）である。
一構成例として、処理装置において、前記複数の通信単位のグループ化に関する制御を行うグループ化制御部（図２や図３の例では、グループ化制御部２３１、３３１）を備える。
一構成例として、処理装置において、前記グループは、同一の装置に設定される複数の通信単位を含むグループである。
【００６４】
一構成例として、処理装置において、当該処理装置は、基地局装置である。
一構成例として、処理装置（基地局装置）において、前記グループ処理制御部は、前記グループについて他の基地局装置との間で回線（図１の例では、Ｘ２回線２１）を介して情報の交換を行うように制御する。
一構成例として、処理装置（基地局装置）において、前記他の基地局装置は、隣接する他の基地局装置である。
一構成例として、処理装置（基地局装置）において、前記回線は、Ｘ２回線である。
一構成例として、処理装置（基地局装置）において、前記グループ処理制御部は、前記情報の交換として、前記グループの代表値の情報の交換を行うように制御する。
一構成例として、処理装置（基地局装置）において、前記グループの代表値としては、前記グループに含まれる複数の通信単位の情報に基づく最大値、最小値、平均値、合計値、または、すべてを乗算した結果のうちの１つ以上が用いられる。
一構成例として、処理装置（基地局装置）において、前記グループは、前記回線を介してやり取りされる情報の種類に応じて異なるグループとされる。
一構成例として、処理装置（基地局装置）において、前記グループ処理制御部は、前記グループについてネイバーリレーションテーブル（ＮＲＴ）の情報を記憶するように制御する。
一構成例として、処理装置において、前記コンポーネントキャリアと前記セルとは１対１で対応し、１個のコンポーネントキャリアとそれに対応する１個のセルが１個の通信単位に対応する。
【００６５】
一構成例として、コンポーネントキャリアまたはセルを通信単位として、複数の通信単位を含むグループの識別情報に基づいて、前記グループについて処理に関する制御を行う、通信システム（例えば、図１に示される通信システム）である。
一構成例として、コンポーネントキャリアまたはセルを通信単位として、複数の通信単位を含むグループの識別情報に基づいて、前記グループについて処理に関する制御を行う、通信方法（例えば、図１に示される通信システムにおいて行われる通信の方法）である。
【００６６】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００６７】
また、以上に示した実施形態に係る各装置（例えば、ＵＥ１、基地局装置１１、１２など）の機能を実現するためのプログラムをコンピュータ読み取り可能な記録媒体に記録して、この記録媒体に記録されたプログラムをコンピュータシステムに読み込ませ、実行することにより、処理を行ってもよい。
【００６８】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【００６９】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００７０】
１、５０１…ＵＥ、２、５０２…インターネット、１１、５１１…ＰＣｅｌｌの基地局装置、１２、５１２…ＳＣｅｌｌの基地局装置、２１、５２１…Ｘ２回線、１０１〜１０２、６０１〜６０２…通信領域、２１１、３１１…通信部、２１２、３１２…記憶部、２１３、３１３…制御部、２３１、３３１…グループ化制御部、２３２、３３２…グループ処理制御部、１００１〜１００２、２００１〜２００２…ＣＣ群、１０１１、２０１１…ＮＲＴ
【図１】
2015179963.tif 000003
【図２】
2015179963.tif 000004
【図３】
2015179963.tif 000005
【図４】
2015179963.tif 000006
【図５】
2015179963.tif 000007